(57)【要約】      （修正有）【課題】窓枠等の固定枠部材の厚さが異なっても、容易にサッシ等の被固定部材の出入り調整ができ、しかも、隙間を封止することにより、高気密・高断熱化が可能な封止装置を提供する。【解決手段】被固定部材の外面に固定するベースプレート１は、開口端の一方側に爪部を形成するとともに、内面に半円柱面を形成した係合溝１ａが長手方向に所定間隔で複数列形成され、固定枠部材の側面に固定するアンカープレート２は、板状に形成されたプレート部の一端側に係合溝１ａに係合する円柱面を形成した突部が長手方向に形成され、アンカープレート２の円柱面とベースプレート１の半円柱面とを接合させるように突部を係合溝１ａに係合させた状態でアンカープレート２のプレート部を固定枠部材の側面に固定して固定枠部材と被固定部材との間に形成される隙間Ｇを封止する。【選択図】図１
0003182095.tif 000002
【実用新案登録請求の範囲】
【請求項１】
固定枠部材の開口の内面と、前記開口に出入り調整可能に挿入固定される被固定部材の外面との間に形成される隙間を封止する封止装置であって、
前記被固定部材の外面に固定するベースプレートは、開口端の一方側に爪部を形成するとともに、内面に半円柱面を形成した係合溝が長手方向に所定間隔で複数列形成され、
前記固定枠部材の側面に固定するアンカープレートは、板状に形成されたプレート部の一端側に前記係合溝に係合する円柱面を形成した突部が長手方向に形成され、
前記アンカープレートの円柱面と前記ベースプレートの半円柱面とを接合させるように前記突部を係合溝に係合させた状態で前記アンカープレートのプレート部を固定枠部材の側面に固定して固定枠部材と被固定部材との間に形成される隙間を封止する封止装置。
【請求項２】
前記ベースプレートの係合溝に形成した半円柱面と、前記アンカープレートの突部に形成した円柱面の曲率半径を等しく形成した請求項１に記載の封止装置。
【請求項３】
前記ベースプレートの係合溝の開口端の一方側に形成した爪部と他方側との間を、前記アンカープレートの突部の先端側が挿入可能な間隔に形成され、前記突部を回転させることにより前記係合溝に係合させる請求項１及び２に記載の封止装置。
【考案の詳細な説明】
【技術分野】
【０００１】
家屋に設けられる窓枠等の固定枠部材の開口に出入り調整可能に挿入固定されるサッシや家具等の被固定部材の外面との間に形成される隙間を封止する封止装置に関する。
【背景技術】
【０００２】
一般に、家屋に設けられる窓枠には、外付けタイプのアルミサッシが取り付けられる。外付けサッシを設置する窓枠は、内壁や外壁の厚さによって、納まりや散りに応じたサッシの出入り調整を行う必要がある。防水性を有するサッシの場合は、サッシの枠と一体のアンカープレートもしくはアングル形状のアンカープレートが設けられ、これらプレートによって窓枠とサッシの枠との間の隙間を封止している。
【０００３】
ところが、アンカープレートは、枠と一体のために出入り調整ができないことから、家屋によっては納まりが悪く、また、散りが生ずる問題がある。このため、従来一般に行われるサッシの取り付け方法は、内壁の厚さや散り調整のために、サッシ取り付け部の下地に補材を足す、または下地を欠く等の手段で出入り調整を行わなければならなかった。そのため、アングルタイプも枠との取り付け位置の変更は可能であるが大雑把な調整しかできない問題があった。この問題を解消するために、特開平１０−２９９３４４号公報（特許文献１）、実開平５−７８８８２号公報（特許文献２）のように、ボルトなどの金物を介して取り付け位置を調整するようにしている。
【先行技術文献】
【特許文献】
【０００４】
【特許文献１】特開平１０−２９９３４４号公報
【特許文献２】実開平５−７８８８２号公報
【考案の概要】
【考案が解決しようとする課題】
【０００５】
特許文献１や特許文献２に示すように、ボルトなどの金物を使用して取り付け位置を調整することにより、出入りの調整は可能であるが、窓枠とサッシの枠との間に隙間が生じることがあり、この隙間を通して外気が流通するため、高気密・高断熱化ができないことから、住宅を省エネルギー化できない問題がある。また、隙間から雨水等が滲入することから、防水性が劣る問題点もあった。
【０００６】
本考案が解決しようとする課題は、窓枠等の固定枠部材の厚さが異なっても、容易にサッシ等の被固定部材の出入り調整ができ、しかも、隙間を封止することにより、高気密・高断熱化が可能な封止装置を提供することにある。
【課題を解決するための手段】
【０００７】
そこで、本考案による封止装置は、前記被固定部材の外面に固定するベースプレートは、開口端の一方側に爪部を形成するとともに、内面に半円柱面を形成した係合溝が長手方向に所定間隔で複数列形成され、前記固定枠部材の側面に固定するアンカープレートは、板状に形成されたプレート部の一端側に前記係合溝に係合する円柱面を形成した突部が長手方向に形成され、前記アンカープレートの円柱面と前記ベースプレートの半円柱面とを接合させるように前記突部を係合溝に係合させた状態で前記アンカープレートのプレート部を固定枠部材の側面に固定して固定枠部材と被固定部材との間に形成される隙間を封止することを要旨としている。
【０００８】
また、前記ベースプレートの係合溝に形成した半円柱面と、前記アンカープレートの突部に形成した円柱面の曲率半径を等しく形成することが望ましい。
【０００９】
さらに、前記ベースプレートの係合溝の開口端の一方側に形成した爪部と他方側との間を、前記アンカープレートの突部の先端側が挿入可能な間隔に形成され、前記突部を回転させることにより前記係合溝に係合させるように構成することが望ましい。
【考案の効果】
【００１０】
本考案によれば、被固定部材の外面に固定するベースプレートに係合溝を複数列形成しているので、取り付ける外壁の厚さに応じてアンカープレートの突部を対応する係合溝に係合させることにより、アンカープレートを固定枠部材の側面に固定できることから、窓枠等の固定枠部材とサッシの枠等の被固定部材との間に形成される隙間を封止することができる。この結果、高気密・高断熱化が可能になる。
【００１１】
また、ベースプレートの係合溝に形成する半円柱面と、アンカープレートの突部に形成する円柱面を等しい曲面に形成するならば、アンカープレートの突部をベースプレートの係合溝に係合させるとき、円柱面に沿って回転させながら容易に係合することができる。このように、両者の円柱面が接合するので、ベースプレートとアンカープレートの間の気密性も良好に保つことができる。
【００１２】
さらに、ベースプレートの係合溝の開口端を、アンカープレートの突部が挿入可能な間隔に形成するならば、アンカープレートの突部を係合溝の開口端に挿入したのち、回転させることにより容易に係合溝に係合させることができる。その後、係合溝に形成した爪部に突部を当接させることにより、ベースプレートとアンカープレートとの間も封止されるので、高気密・高断熱化が可能になる。
【図面の簡単な説明】
【００１３】
【図１】本考案に係る封止装置の一実施例に係る断面図である。
【図２】封止装置のベースプレートとアンカープレートを示す斜視図である。
【図３】（Ａ）（Ｂ）（Ｃ）は、ベースプレートにアンカープレートを係合する工程を示す説明図である。
【図４】本考案に係る封止装置の他の実施例を示す斜視図である。
【図５】アンカープレートの他の実施例を示す斜視図である。
【考案を実施するための形態】
【００１４】
封止装置は、固定枠部材の開口の内面と、前記開口に出入り調整可能に挿入固定される被固定部材の外面との間に形成される隙間を封止するようにためのものであり、前記被固定部材の外面に固定するベースプレートは、開口端の一方側に爪部を形成するとともに、内面に半円柱面を形成した係合溝が長手方向に所定間隔で複数列形成され、前記固定枠部材の側面に固定するアンカープレートは、板状に形成されたプレート部の一端側に前記係合溝に係合する円柱面を形成した突部が長手方向に形成される。前記アンカープレートの円柱面と前記ベースプレートの半円柱面とを接合させるように前記突部を係合溝に係合させた状態で前記アンカープレートのプレート部を固定枠部材の側面に固定して固定枠部材と被固定部材との間に形成される隙間が封止される。
【００１５】
以下、図面に基づいて本考案の実施例を詳細に説明する。封止装置は、図２に示すように、ベースプレート１とアンカープレート２によって構成される。ベースプレート１は、例えばアルミニウム等の金属によって形成され、一方面側には長手方向に係合溝１ａが所定間隔で複数列形成されている。各々の係合溝１ａには、開口端の一方側に爪部１ｂが形成され、溝内の内面は半円柱面に形成されている。さらに、開口端の爪部１ｂの先端と他方側との間の開口幅は、後述するアンカープレート２の突部２ａの先端側が挿入可能な間隔に形成されている。このベースプレート１の長手方向の長さは、後述する被固定部材とほぼ等しい長さに設定される。
【００１６】
一方、アンカープレート２は、例えばアルミニウム等の金属によって形成され、幅方向の一方端には、突部２ａが長手方向に形成されている。突部２ａは、図示上側の端面側に円柱面２ｂが形成されていて、その反対側は、プレート部２ｃとほぼ直角な平面に形成され、断面形状が恰も玉杓子のようになっている。また、プレート部２ｃには、後述する固定枠部材  に取り付けるための取り付けねじ９を挿通する取り付けねじ穴２ｄが所定の間隔で形成されている。このアンカープレート２も長手方向の長さが後述する被固定部材とほぼ等しい長さに設定される。
【００１７】
また、ベースプレート１の係合溝１ａの内面に形成された半円柱面と、アンカープレート２の突部２ａに形成された円柱面２ｂとは、曲率半径が等しく形成されている。
【００１８】
図３は、ベースプレート１の係合溝１ａにアンカープレート２の突部２ａを係合させる工程を示している。まず、図３（Ａ）に示すように、アンカープレート２の突部２ａの先端をベースプレート１の係合溝１ａの開口端に挿入する。この状態から、図３（Ｂ）に示すように、アンカープレート２を半時計方向に回転する。このとき、開口端の爪部１ｂの先端を中心に、係合溝１ａ内の半円柱面に突部２ａの円柱面２ｂが案内されて突部２ａが回転し、やがて、図３（Ｃ）に示すように、開口端の爪部１ｂに突部２ａの平面が当接することで停止する。この状態では、ベースプレート１に対してアンカープレート２がほぼ垂直に設置され、爪部１ｂに突部２ａが当接することによって、離脱することが阻止される。また、係合溝１ａ内の半円柱面に突部２ａの円柱面２ｂが接合するので、気密性も保たれる。
【００１９】
次に、以上説明した封止装置を用いて、固定枠部材と被固定部材との間に形成される隙間を封止することについて、図１に示すような、家屋等に設けられる窓枠の開口に出入り調整可能に挿入固定されるサッシを例に説明する。家屋には、被固定部材としての外付けタイプのサッシ４を取り付けるために、固定枠部材としての窓枠５が設けられ、窓枠５の屋内側には１層または２層に内壁材６が設けられている。そして、窓枠５の開口にサッシ４を挿入するとともに、所定の位置に設置するようにサッシ４を移動して出入り調整を行った後に固定する。このとき、窓枠５に対するサッシ４の納まりや散りを調整するが、窓枠５の開口の内面とサッシ４の外面との間には、隙間Ｇが形成される。この隙間Ｇを本考案による封止装置によって封止する。
【００２０】
サッシ４の外周面には、予め所定位置にベースプレート１が固定される。このベースプレート１の長さは、サッシ４の外周面の長さにほぼ等しい寸法に設定されている。図１に示すサッシ４が木製サッシの場合は、予め固定プレート７を取り付けねじ８によって固定し、固定プレート７にベースプレート１を固定することが望ましい。固定プレート７の両側は、サッシ４側を狭くしたテーパ面が形成され、一方、ベースプレート１の他方面側には、長手方向に蟻溝が形成されている。そして、蟻溝を固定プレート７のテーパ面に差し込むことによりベースプレート１が一体に固定される。なお、アルミサッシのような金属製の場合は、ベースプレート１を取り付けねじ８によって直接固定しても良い。
【００２１】
このように、ベースプレート１を固定したサッシ４を窓枠５の開口に挿入し、内壁等の厚さを考慮しながら出入り調整を行った後、サッシ４を窓枠５に固定ねじ９によって固定する。その後、窓枠５の側面に最も近接したベースプレート１の係合溝１ａに対し、図３について説明したように、アンカープレート２の突部２ａを挿入するとともに回転することにより、図１の拡大円に示したように、アンカープレート２のプレート部２ｃが窓枠５の側面に接合する。この状態で取り付けねじ３によって固定する。この結果、アンカープレート２によって隙間Ｇが封止される。このとき、ベースプレート１の係合溝１ａ内の半円柱面とアンカープレート２の突部２ａの円柱面２ｂが接合することにより、ベースプレート１とアンカープレート２の間も封止される。
【００２２】
図４は、被固定部材としてのサッシをアルミサッシとした場合に適用する封止装置の例を示している。アルミサッシは、周知のように、外周がアルミニウムによって形成されている。図４においては、下框１０を示している。この下框１０に、前述したベースプレート１と同様に、長手方向に係合溝１０ａが所定間隔で複数列形成されている。また、各々の係合溝１０ａには、開口端の一方側に爪部１０ｂが形成され、溝内の内面は半円柱面に形成されている。
【００２３】
そして、前述した例と同様に、アルミサッシを窓枠５の開口に挿入して出入り調整を行った後、下框１０を窓枠５に固定した後、窓枠５の側面に最も近接した係合溝１０ａに対し、アンカープレート２の突部２ａを挿入するとともに回転してアンカープレート２のプレート部２ｃを窓枠５に固定する。この例においても、アンカープレート２によって隙間Ｇが封止される。なお、木製サッシであっても、下框をアルミニウム材によって形成した場合も、同様に適用可能である。
【００２４】
図５は、アンカープレートの他の実施例を示している。アンカープレート１１は、アルミニウム等の金属によって形成され、幅方向の一方端には、突部１１ａが長手方向に形成されていることは、前述したアンカープレート２と同様であるが、相違する点は、突部１１ａの形状である。すなわち、アンカープレート１１の突部１１ａを折り曲げ加工等によって半円状に屈曲形成することにより、端面側に円柱面１１ｂを形成したものである。この円柱面１１ｂは、ベースプレート１の係合溝１ａの内面に形成された半円柱面の曲率半径とほぼ等しく形成される。なお、図中、符号１１ｃはプレート部、１１ｄは取り付けねじ穴である。
【００２５】
このような図５に示すアンカープレート１１も、係合溝１ａに対して突部１１ａを挿入して回転すると、突部１１ａの先端がベースプレート１の爪部１ｂに当接することは、前述した例と同様である。
【００２６】
以上、本考案を実施例に基づき具体的に説明したが、本考案は上記実施例に限定されるものではなく、その要旨を逸脱しない範囲で種々変形可能であることは言うまでもない。前述した実施例は、固定枠部材として家屋の窓枠、被固定部材としてサッシを例に説明したが、これらに限らず、出入り調整を伴い隙間を封止することが求められる家具や家電製品等に適用しても良い。また、ベースプレート及びアンカープレートの材質は、アルミニウム等の金属素材の他、合成樹脂素材を使用しても良い。
【符号の説明】
【００２７】
１    ベースプレート
１ａ  係合溝
１ｂ  爪部
２    アンカープレート
２ａ  突部
２ｂ  円柱面
４    サッシ（被固定部材）
５    窓枠（固定枠部材）
Ｇ    隙間
【図５】
0003182095.tif 000003
【図１】
0003182095.tif 000004
【図２】
0003182095.tif 000005
【図３】
0003182095.tif 000006
【図４】
0003182095.tif 000007